(57)【要約】【課題】  従来、園芸用の細い支柱を、手だけで地面に押し込もうとすると、かなりの力を要し、支柱が十分に押し込まれなかったり、支柱が折れ曲がったりの不具合があった。本発明は、支柱を、人の力で楽に地中に押し込む、園芸用支柱の押し込み器を提供する。【解決手段】  本体筒の上部を閉じて閉口部とする。もう片方を開口部とする。本体筒の側面の途中上下２箇所に左右に伸びたレバーを設ける。本体筒の開口部から支柱を差し込み、レバーに手足をのせて支柱を地面に押し込む。以上を特徴とする園芸用支柱の押し込み器である。【選択図】図１
2010220599.tif 000002
【特許請求の範囲】
【請求項１】
本体筒の上部を閉じて閉口部、もう片方を開口部とし、本体筒の側面の途中に、側面に垂直に左右に伸びた一対のレバーを設けたことを特徴とする園芸用支柱の押し込み器。
【請求項２】
レバーの軸方向と平行に、間隔を開けて、本体筒から垂直に左右に伸びた、もう一対のレバーを設けた請求項１の園芸用支柱の押し込み器。
【発明の詳細な説明】
【技術分野】
【０００１】  本発明は、園芸用の支柱を、人の力で楽に地中に押し込む、園芸用支柱の押し込み器である。
【背景技術】
【０００２】  従来、一般家庭や小規模農家で、園芸用の細い支柱を畑や花壇に立てるには、支柱を両手でしっかりと持ち、かなりの力をかけて地中に押し込んでいた。市販品には、業務用で動力を使って大がかりな機械で支柱を打ち込むものがある。また、先端が螺旋状になった棒状の器具をまわして地中にねじ込み、地面に先に穴を開けておく穴あけ器もある。
【発明の概要】
【発明が解決しようとする課題】
【０００３】  そのために、次のような問題点があった。
（イ）手だけで支柱を押し込もうとすると、かなりの労力を要し、手首や腕、腰を痛める      ことがある。
（ロ）手だけで支柱を押し込もうとすると、支柱が十分な深さまで押し込まれずに、後で      ぐらついたり倒れたりして不具合があった。
（ハ）手だけで支柱を押し込もうとすると、支柱が曲がったり折れたりすることもある。
（ニ）手だけで支柱を押し込もうとすると、支柱が思った通りの位置に押し込まれずに、      何度も押し込んでいるうちに、地面にあけた穴がひろがって支柱が自立できなくな      ることも多い。
（ホ）業務用の動力を使った大がかりな機械では、機械や維持費に費用がかかりすぎ、一      般家庭や小規模農家には不向きであった。
（ヘ）先端が螺旋状の穴あけ器では、穴を開けるまでにかなりの時間と労力を要し、器具      を回転させて穴を先に開けるため、穴がかなり大きくなり、直径が１〜２ｃｍの細      い支柱には、不向きであった。また、穴あけ器では、地中に穴を開ける作業と、支      柱を押し込む作業とが別々に行われるので、効率が悪い。
本発明は、以上の問題点を解決しようとするものである。
【課題を解決するための手段】
【０００４】  本体筒の上部を閉じて閉口部、もう片方を開口部とし、本体筒の側面の途中に、側面に垂直に左右に伸びた一対のレバーを設ける。レバーの軸方向と平行に、間隔を開けて、本体筒から垂直に左右に伸びた、もう一対のレバーを設ける。以上を特徴とする園芸用支柱の押し込み器である。
【発明の効果】
【０００５】本発明には、次のような効果がある。
（イ）手だけでなく足も使い、レバーに自分の体重をかけて、支柱を地中に押し込むので      、あまり力がいらない。手首や腕、腰を痛めることもない。女性や年配の方も楽に      安全に作業を行うことができる
（ロ）支柱が十分な深さまで押し込まれ、後でぐらついたり倒れたりの不具合がない。
（ハ）本体筒の内面壁にそって支柱を入れて押し込んでいくので、支柱が曲がったり折れ      たりすることがない。
（ニ）支柱を思った通りの位置にまっすぐに押し込むことが一回の作業ですむ。
（ホ）器具自体はコンパクトで低価格で制作でき、一般家庭や小規模農家むきである。
（ヘ）地中に穴を開けるのと支柱を押し込む作業とが一度ですむため、効率的である。
【発明を実施するための最良の形態】
【０００６】  以下、本発明の実施の形態を説明する。
金属製の本体筒（１）の片方の穴の端を、同じ材質でふたをするように閉じて閉口部（８）とする。もう片方の穴の端は、閉じないで開口部（７）とする。本体筒（１）の内部の直径は、直径１〜２ｃｍの細い園芸用の支柱（６）がぎりぎり入る程度とする。本体筒（１）の側面の途中上下２箇所に左右に伸びたレバーを設け、上部レバー（２）と下部レバー（３）とする。上部レバー（２）の位置と、下部レバー（３）の位置の間隔は、人が足を差し込んで、下部レバー（３）の上に足の裏をのせるのに、支障のない範囲とする。上部レバー（２）と閉口部（８）の間の本体筒（１）の側面に、ピン穴（４）を、本体筒（１）側面を貫通して、複数個開ける。ピン穴（４）に差し込んで、本体筒（１）を貫通して、反対側に抜けて出る長さのピン足（１６）と、ピン頭（１７）からなるピン（５）を、部品とする。本発明は、以上の構成よりなっている。
本発明を使用するときは、地面の支柱（６）を立てたい位置に、支柱（６）を手で軽く押し込む。支柱（６）の上部から、本発明の開口部（７）を下にしてかぶせ入れて、本体筒（１）の閉口部（８）に支柱（６）があたるまで差し込む。上部レバー（２）を手で握り、下部レバー（３）に足をかけて、体重をかけて支柱（６）を地面に押し込む。支柱（６）を予定した深さまで地面に押し込んだら、支柱（６）はそのままで、本発明のみを外す。ピン（５）をピン穴（４）に差し込んだり、差込位置を変えることで、本体筒（１）内部での、支柱（６）の止め位置を調節できるようにする。支柱（６）の長さや、使用する人の体格にあわせることができる。
【実施例１】
【０００７】  本発明の開口部（７）の内部にねじをきり、差込部品を取り付け可能にする。先端を細いらせん形にした、らせん式部品（１０）をねじ差込（１１）ではめる。らせん式部品（１０）は着脱式である。使用するときは、上部レバー（２）を両手で握り本体筒（１）を回転させて、地面に支柱差し込み用の下穴を開ける。穴は大きめになるが、太い支柱や杭な
2010220599.tif 000003
【実施例２】
【０００８】  本発明の開口部（７）の内部にねじをきり、差込部品を取り付け可能にする。先端のとがった棒状のきり式部品（１２）をねじ差込（１１）ではめる。きり式部品（１２）は着脱式である。使用するときは上部レバー（２）を手で握り、下部レバー（３）に足をかけて押し込み、地面に支柱差し込み用の下穴を開ける。地面に穴が開きにくいときに、この
2010220599.tif 000004
【実施例３】
【０００９】  本発明の開口部（７）の内部にねじをきり、差込部品を取り付け可能にする。先端がとがって、フォーク状の三又に分かれた、三又式部品（１３）をねじ差込（１１）ではめる。三又式部品（１３）は着脱式である。使用するときは、上部レバー（２）を両手で握り、下部レバー（３）を足で押して、地面に穴を三カ所同時に開ける。芝生の穴開け作業に使
2010220599.tif 000005
【実施例４】
【００１０】  本発明の本体筒（１）の部分を、直径の違う２本の筒をあわせた形態にする。直径の大きい方を本体筒大（１４）、直径の小さい方を本体筒小（１５）とする。支柱（６）の太さに合わせて使い分けることができる。（図４参照）
【図面の簡単な説明】
【００１１】
【図１】本発明の使用状態を示す斜視図
【図２】本発明の斜視図  （ａ）は本発明の分解斜視図  （ｂ）は本発明の実施例１の斜視図
【図３】本発明の実施例２の差込部品を使用した斜視図  （ａ）は本発明の実施例１の、らせん式部品の斜視図  （ｂ）は本発明の実施例２の、きり式部品の斜視図  （ｃ）は本発明の実施例３の、三又式部品の斜視図
【図４】本発明の実施例４の斜視図
【符号の説明】
【００１２】  １  本体筒
２  上部レバー
３  下部レバー
４  ピン穴
５  ピン
６  支柱
７  開口部
８  閉口部
９  地面穴
１０  らせん式部品
１１  ねじ差込
１２  きり式部品
１３  三又式部品
１４  本体筒大
１５  本体筒小
１６  ピン足
１７  ピン頭
【図１】
2010220599.tif 000006
【図２】
2010220599.tif 000007
【図３】
2010220599.tif 000008
【図４】
2010220599.tif 000009